(57)【特許請求の範囲】
【請求項１】
エレベータの操作盤に設けられるエレベータの押しボタン装置であって、
ボタンと、
前記ボタンを支持するフレームと、
前記フレームに設けられた開口部から露出した前記ボタンの操作部が押されたことを検出する検出部と、
前記ボタンの、前記操作部とは反対側に設けられた第１永久磁石と、
前記フレームの、前記第１永久磁石と対向する位置に設けられ、前記ボタンに対して、斥力により、前記第１永久磁石から前記操作部に向かう力を与える第２永久磁石と、
前記操作部の外周に設けられた第３永久磁石と、
前記開口部の、前記第３永久磁石と対向する位置に設けられ、前記第３永久磁石との間で斥力を発生させる第４永久磁石と、
を備えたエレベータの押しボタン装置。
【請求項２】
前記検出部は、
前記ボタンに設けられた可動接点と、
前記フレームに、前記可動接点と対向して設けられた固定接点と、を有し、
前記操作部が押されることによって前記可動接点が前記固定接点と接触する
請求項１に記載のエレベータの押しボタン装置。
【請求項３】
前記検出部は、
前記操作部が押されることにより、前記ボタンが前記フレームから離れたときに動作するバック接点である
請求項１に記載のエレベータの押しボタン装置。
【請求項４】
前記検出部は、
前記フレームに設けられた発光部と、
前記フレームに設けられ、前記発光部からの光を受光する受光部と、を有し、
前記ボタンにより前記発光部からの光が遮られることにより、前記操作部が押されたことを検出する
請求項１に記載のエレベータの押しボタン装置。
【請求項５】
前記操作部は、四角形状を有し、
前記第３永久磁石は、前記操作部の４辺に設けられている
請求項１から請求項４までの何れか１項に記載のエレベータの押しボタン装置。
【請求項６】
前記操作部は、四角形状を有し、
前記第３永久磁石は、前記操作部の四隅に設けられている
請求項１から請求項４までの何れか１項に記載のエレベータの押しボタン装置。
【請求項７】
前記操作部は、四角形状を有し、
前記第３永久磁石は、前記操作部の各辺の中間に設けられている
請求項１から請求項４までの何れか１項に記載のエレベータの押しボタン装置。
【請求項８】
前記ボタンの、前記操作部から前記第１永久磁石に向かう方向について、前記第４永久磁石と対向する位置に設けられ、前記第４永久磁石との間で引力を発生させる第５永久磁石
をさらに備えた請求項１から請求項７までの何れか１項に記載のエレベータの押しボタン装置。
【発明の詳細な説明】
【技術分野】
【０００１】
この発明は、エレベータの乗場操作盤またはかご操作盤に設けられるエレベータの押しボタン装置に関する。
【背景技術】
【０００２】
従来のエレベータの押しボタン装置は、ボタンとボタンを支持するフレームとの間に、ボタンの操作部がフレームの開口部から外側に飛び出す方向に力を加えるスプリングが設けられ、エレベータの利用者がボタンを押した後にボタンから手を離すと、スプリングの力によってボタンが戻るようになっている（例えば、特許文献１参照）。
【先行技術文献】
【特許文献】
【０００３】
【特許文献１】特開平７−２９１５４４号公報
【発明の概要】
【発明が解決しようとする課題】
【０００４】
しかしながら、特許文献１に記載されたエレベータの押しボタン装置では、スプリングの力が経年劣化により低下し、ボタンが戻りにくくなったり、戻らなくなったりするという問題がある。
【０００５】
この発明は、上記のような課題を解決するためになされたものであり、利用者がボタンを押してボタンから手を離した後、確実にボタンを戻すことができるエレベータの押しボタン装置を得ることを目的とする。
【課題を解決するための手段】
【０００６】
この発明に係るエレベータの押しボタン装置は、エレベータの操作盤に設けられるエレベータの押しボタン装置であって、ボタンと、ボタンを支持するフレームと、フレームに設けられた開口部から露出したボタンの操作部が押されたことを検出する検出部と、ボタンの、操作部とは反対側に設けられた第１永久磁石と、フレームの、第１永久磁石と対向する位置に設けられ、ボタンに対して、斥力により、第１永久磁石から操作部に向かう力を与える第２永久磁石と、操作部の外周に設けられた第３永久磁石と、開口部の、第３永久磁石と対向する位置に設けられ、第３永久磁石との間で斥力を発生させる第４永久磁石と、を備えたものである。
【発明の効果】
【０００７】
この発明に係るエレベータの押しボタン装置によれば、ボタンの、操作部とは反対側に設けられた第１永久磁石と、ボタンを支持するフレームの、第１永久磁石と対向する位置に設けられ、ボタンに対して、斥力により、第１永久磁石から操作部に向かう力を与える第２永久磁石と、を備えている。
そのため、利用者がボタンを押してボタンから手を離した後、確実にボタンを戻すことができる。
【図面の簡単な説明】
【０００８】
【図１】この発明の実施の形態１に係るエレベータの押しボタン装置が適用された乗場操作盤を示す正面図である。
【図２】この発明の実施の形態１に係るエレベータの押しボタン装置を示す断面図である。
【図３】この発明の実施の形態２に係るエレベータの押しボタン装置の要部を示す拡大図である。
【図４】この発明の実施の形態２に係るエレベータの押しボタン装置を示す正面図である。
【図５】この発明の実施の形態２に係るエレベータの押しボタン装置の要部を示す拡大図である。
【発明を実施するための形態】
【０００９】
以下、この発明に係るエレベータの押しボタン装置の好適な実施の形態につき図面を用いて説明するが、各図において同一、または相当する部分については、同一符号を付して説明する。
【００１０】
なお、以下の各実施の形態では、この発明に係るブレーキ装置が乗場操作盤に適用された例を示すが、これに限定されず、この発明に係るブレーキ装置は、かご操作盤に適用されてもよい。
【００１１】
実施の形態１．
図１は、この発明の実施の形態１に係るエレベータの押しボタン装置が適用された乗場操作盤を示す正面図である。図１において、乗場操作盤１００は、エレベータの乗場に取り付けられ、上り方向または下り方向の乗場呼びを登録するための押しボタン装置１０が設けられている。
【００１２】
図２は、この発明の実施の形態１に係るエレベータの押しボタン装置を示す断面図である。図２において、この押しボタン装置１０は、ボタン１と、フレーム２と、可動接点３と、固定接点４とを備えている。
【００１３】
ボタン１は、エレベータの利用者が呼びを登録する際に押すボタンである。フレーム２は、ボタン１を摺動可能に支持している。また、フレーム２には、開口部２１が形成され、開口部２１から、ボタン１の操作部１１が露出している。
【００１４】
可動接点３は、ボタン１の、操作部１１とは反対側に設けられている。また、固定接点４は、フレーム２に、可動接点３と対向して設けられている。可動接点３は、操作部１１が押されることによって、固定接点４と接触する。ここで、可動接点３と固定接点４とは、操作部１１が押されたことを検出する検出部を構成している。
【００１５】
また、ボタン１の、操作部１１とは反対側には、第１永久磁石１２が埋め込まれている。また、フレーム２の、第１永久磁石と対向する位置には、ボタン１に対して、斥力により、第１永久磁石１２から操作部１１に向かう力を与える第２永久磁石２２が埋め込まれている。
【００１６】
なお、図２では、第１永久磁石１２のＮ極と第２永久磁石２２のＮ極とが対向するように配置されているが、これに限定されず、Ｓ極同士が対向するように配置されてもよい。また、フレーム２の内部には、操作部１１が押されたことが検出された場合に点灯する応答灯が設けられるが、図示を省略している。
【００１７】
以下、上記構成のエレベータの押しボタン装置の動作について説明する。まず、利用者がボタン１の操作部１１を押すと、ボタン１は、第１永久磁石１２および第２永久磁石２２による斥力に抗して移動する。その後、ボタン１が一定距離移動すると、可動接点３が固定接点４に接触する。
【００１８】
これにより、可動接点３と固定接点４との接点が閉成され、乗場呼びが登録されて、応答灯が点灯する。続いて、利用者がボタン１から手を離すと、ボタン１は、第１永久磁石１２および第２永久磁石２２による斥力により移動し、可動接点３が固定接点４から離反する。
【００１９】
以上のように、実施の形態１によれば、ボタンの、操作部とは反対側に設けられた第１永久磁石と、ボタンを支持するフレームの、第１永久磁石と対向する位置に設けられ、ボタンに対して、斥力により、第１永久磁石から操作部に向かう力を与える第２永久磁石と、を備えている。
ここで、永久磁石は、スプリングと異なり、経年による減磁がほとんど生じないので、ボタンが戻りにくくなったり、戻らなくなったりすることがなくなる。
そのため、利用者がボタンを押してボタンから手を離した後、確実にボタンを戻すことができる。
【００２０】
なお、上記実施の形態１において、検出部は、操作部１１が押されていない状態において、ボタン１とフレーム２とが接触している位置に設けられ、操作部１１が押され、ボタン１がフレーム２から離れたときに動作するバック接点であってもよい。
【００２１】
また、上記実施の形態１において、検出部は、フレーム２に設けられた発光部と、フレーム２に設けられ、発光部からの光を受光する受光部とを有し、ボタン１により発光部からの光が遮られることにより、操作部１１が押されたことを検出するものであってもよい。
【００２２】
実施の形態２．
エレベータの押しボタン装置では、ボタンとフレームとの間に埃が堆積したり、ボタンを押す際に斜めに力が働いたりすることによって、利用者がボタンから手を離した場合に、ボタンの操作部がフレームの裏に引っ掛かり、元の状態に復帰しなくなることがある。この状態を、セリが発生していると称する。
【００２３】
セリが発生した状態では、可動接点と固定接点との接点が閉成された状態が維持され、利用者が存在していない階床にかごがサービスされたり、ドアの開閉制御ができなくなったりすることがある。そこで、この発明の実施の形態２では、セリの発生を防止することができる構成について説明する。
【００２４】
図３は、この発明の実施の形態２に係るエレベータの押しボタン装置の要部を示す拡大図である。また、図４は、この発明の実施の形態２に係るエレベータの押しボタン装置を示す正面図である。
【００２５】
図３、４において、操作部１１の外周には、第３永久磁石１３が埋め込まれている。また、開口部２１の、第３永久磁石１３と対向する位置には、第３永久磁石１３との間で斥力を発生させる第４永久磁石２３が埋め込まれている。
【００２６】
なお、図３、４では、第３永久磁石１３のＮ極と第４永久磁石２３のＮ極とが対向するように配置されているが、これに限定されず、Ｓ極同士が対向するように配置されてもよい。
【００２７】
また、図４では、第３永久磁石１３が操作部１１の４辺に配置され、第４永久磁石２３が第３永久磁石１３と対向する位置に埋め込まれているが、これに限定されず、第３永久磁石１３が操作部１１の四隅や各辺の中間に埋め込むとともに、第４永久磁石２３を第３永久磁石１３と対向する位置に埋め込んでもよい。
【００２８】
これにより、利用者がボタン１を押してボタン１から手を離した後、第３永久磁石１３と第４永久磁石２３との間の斥力により、操作部１１が開口部２１の中心に寄りながら戻ってくることになる。
【００２９】
以上のように、実施の形態２によれば、操作部の外周に設けられた第３永久磁石と、開口部の、第３永久磁石と対向する位置に設けられ、第３永久磁石との間で斥力を発生させる第４永久磁石とをさらに備えたことにより、セリの発生を防止することができる。
【００３０】
なお、上記実施の形態２において、さらにセリの発生を防止することができる構成について、図５を参照しながら説明する。図５は、この発明の実施の形態２に係るエレベータの押しボタン装置の要部を示す拡大図である。
【００３１】
図５において、ボタン１には、操作部１１から第１永久磁石１２に向かう方向について、第４永久磁石２３と対向する位置に、第４永久磁石２３との間で引力を発生させる第５永久磁石１４が埋め込まれている。
【００３２】
ここで、第５永久磁石１４では、第４永久磁石２３のＮ極およびＳ極と対向して引力を発生するように、Ｓ極およびＮ極が配置されている。なお、第４永久磁石２３および第５永久磁石１４において、Ｎ極およびＳ極の配置は、逆であってもよい。
【００３３】
これにより、利用者がボタン１を押してボタン１から手を離した後、第４永久磁石２３と第５永久磁石１４との間の引力により、操作部１１が開口部２１の中心に寄りながら戻ってくることになる。そのため、さらにセリの発生を防止することができる。
【符号の説明】
【００３４】
１  ボタン、２  フレーム、３  可動接点、４  固定接点、１０  押しボタン装置、１１  操作部、１２  第１永久磁石、１３  第３永久磁石、１４  第５永久磁石、２１  開口部、２２  第２永久磁石、２３  第４永久磁石、１００  乗場操作盤。
【図１】
0006703348.tif 000002
【図２】
0006703348.tif 000003
【図３】
0006703348.tif 000004
【図４】
0006703348.tif 000005
【図５】
0006703348.tif 000006